(57)【要約】クロック内容、ペイロード及びオーバーヘッドを変更せずに、地理的に離れたＳＯＮＥＴ／ＳＤＨネットワークが透明に相互接続されるのを可能にするために、従来はダークファイバを利用することを必要としていた。比較的低い帯域のオペレータにとって、このことは禁止同然に高額なものである。本発明は、マッピング及び仮想連結法を用いる手法を提案し、クロック整合性を維持しながら、ＳＯＮＥＴ／ＳＤＨリンク上で帯域効率的な方法でＳＯＮＥＴ／ＳＤＨが搬送されることを可能にする。
2004533789.tif 000002
【特許請求の範囲】
【請求項１】
第１同期データフォーマットにおけるデータを、前記第１同期データフォーマットにクロック同期していない第２同期データフォーマットを用いて動作するネットワークを介して送信する方法であって：
（ａ）  第１フォーマットのデータを、第１データフォーマットのペイロード及びオーバーヘッドの部分の内容及び位置を維持する所定の同期コンテナフォーマットにマッピングするステップ；
（ｂ）  前記第２同期データフォーマットを用いて送信するための複数の仮想的に連結されたペイロードを形成するために、前記所定の同期コンテナフォーマットにおけるデータを仮想的に連結するステップ；
（ｃ）  前記第２同期データフォーマットを用いて前記ネットワーク上で仮想的に連結されたデータを送信するステップ；
（ｄ）  前記仮想的に連結されたデータを受信するステップ；
（ｅ）  前記所定の同期コンテナフォーマットにおけるデータを復元するために仮想的に連結されたデータを結合するステップ；及び
（ｆ）  第１フォーマットにおけるデータを再構築するために逆マッピングを実行するステップ；
より成ることを特徴とする方法。
【請求項２】
前記第１同期データフォーマットが、レベルＮのＳＤＨ同期転送モジュール（ＳＴＭ）であり、前記所定の同期コンテナフォーマットが、ＳＤＨ  Ｃ−４（Ｎ＋１）ｃ４隣接的連結コンテナであり、仮想的に連結されたデータが複数のＶＣ−４（Ｎ＋１）ｖペイロードとして送信されることを特徴とする請求項１記載の方法。
【請求項３】
前記第１同期データフォーマットが、レベルＮのＳＯＮＥＴ同期転送信号（ＳＴＳ）フレームであり、前記所定の同期コンテナフォーマットが、ＳＯＮＥＴ  ＳＴＳ−（Ｎ＋１）ｃ隣接的連結コンテナであり、仮想的に連結されたデータが複数のＳＴＳ−３ｃ−（Ｎ＋１）ｖペイロードとして送信されることを特徴とする請求項１記載の方法。
【請求項４】
前記第１同期データフォーマットが、ＳＯＮＥＴ同期転送信号（ＳＴＳ）フレームであり、前記所定の同期コンテナフォーマットが、ＳＤＨ隣接的連結コンテナであり、仮想的に連結されたデータが複数ＳＤＨ仮想的連結ペイロードとして送信されることを特徴とする請求項１記載の方法。
【請求項５】
前記第１同期データフォーマットが、ＳＤＨ同期転送モジュール（ＳＴＭ）フレームであり、前記所定の同期コンテナフォーマットが、ＳＯＮＥＴ隣接的連結コンテナであり、仮想的に連結されたデータが複数のＳＯＮＥＴ仮想的連結ペイロードとして送信されることを特徴とする請求項１記載の方法。
【請求項６】
前記所定の同期コンテナフォーマットが、前記第２同期データフォーマットとクロック同期することを特徴とする請求項１記載の方法。
【請求項７】
同期ディジタルネットワークのためのネットワーク要素であって：
（ａ）  同期データを受信するように用意されるデータ入力；
（ｂ）  前記データ入力にて受信された同期データを、同期データ内に包含されるオーバーヘッド情報を失うことなしに所定の別の同期データフォーマットに対応付けるように用意されたマッパ；及び
（ｃ）  前記マッパから前記別の同期データフォーマットで受信したデータを仮想的に連結するように用意された逆マルチプレクサ；
を備えることを特徴とするネットワーク要素。
【請求項８】
前記データ入力が、ＳＤＨ規格に従ってフォーマットされたデータを受信するように用意され、前記逆マルチプレクサがＳＯＮＥＴ規格に従ってフォーマットされたデータを形成することを特徴とする請求項７記載のネットワーク要素。
【請求項９】
前記データ入力が、ＳＯＮＥＴ規格に従ってフォーマットされたデータを受信するように用意され、前記逆マルチプレクサがＳＤＨ規格に従ってフォーマットされたデータを形成することを特徴とする請求項７記載のネットワーク要素。
【請求項１０】
同期ディジタルネットワークのためのネットワーク要素であって：
（ａ）  同期データを受信するように用意されるデータ入力；
（ｂ）  前記データ入力で受信された同期データに含まれる仮想的に連結されたペイロードを結合するよう用意されるマルチプレクサ；及び
（ｃ）  前記マルチプレクサにより生成された結合されたペイロードを、当初のマッピングに含まれるペイロードデータが維持される所定の別の同期データフォーマットに逆マッピングするように用意された逆マッパ；
を備えることを特徴とするネットワーク要素。
【請求項１１】
前記データ入力が、ＳＤＨ規格に従ってフォーマットされたデータを受信するように用意され、前記逆マッパがＳＯＮＥＴ規格に従ってフォーマットされたデータを形成することを特徴とする請求項１０記載のネットワーク要素。
【請求項１２】
前記データ入力が、ＳＯＮＥＴ規格に従ってフォーマットされたデータを受信するように用意され、前記逆マッパがＳＤＨ規格に従ってフォーマットされたデータを形成することを特徴とする請求項１０記載のネットワーク要素。
【請求項１３】
第１フォーマットの複数の同期フレームに広がる一群の仮想的に連結されたペイロードより成る同期データ信号であって、一群の仮想的に連結されたペイロード各々は第２フォーマットの同期フレームを表現し、前記第２フォーマットの同期フレームは第３フォーマットの同期フレームに関するマッピングを有し、前記第２フレーム及び前記第３フレーム間の前記マッピングは、前記第３フォーマットの同期フレームに当初包含されるオーバーヘッド及びペイロードデータの内容及び配置を維持するように用意されることを特徴とする同期データ信号。
【請求項１４】
前記第１フォーマットがＳＤＨフォーマットであり、前記第３フォーマットがＳＯＮＥＴフォーマットであることを特徴とする請求項１３記載のデータ信号。
【請求項１５】
前記第１フォーマットがＳＯＮＥＴフォーマットであり、前記第３フォーマットがＳＤＨフォーマットであることを特徴とする請求項１３記載のデータ信号。
【請求項１６】
ファイバ形式のテレコミュニケーションネットワークで同期ディジタルデータを搬送する方法であって、前記同期ディジタルデータのエンコードに使用されるエンコード規格が、ＳＯＮＥＴ及びＳＤＨを含む一群のエンコード規格から選択され、当該方法は：
（ａ）  複数の当初のフレームとして徐々に同期データを受信するステップ；
（ｂ）  当初の各々のフレームを、ＳＯＮＥＴ及びＳＤＨ規格を含む群から選択された規格に従って構築される各々マッピングされたフレームのペイロードにマッピングするステップであって、当初の各々のフレームのオーバーヘッド及びペイロード部分を記録するステップ；
（ｃ）  マッピングされたフレーム各々を複数のコンテナに分割すること、前記コンテナの各々にマッピングされたフレーム各自の身元を記録すること、及び複数の同期フレームのペイロード領域に前記コンテナを分散することによって、マッピングされたフレーム各々を仮想的に連結するステップ；
（ｄ）  前記テレコミュニケーションネットワーク上で、仮想的に連結されたマッピングされたフレームを複数の同期フレームとして送信するステップ；
（ｅ）  前記同期フレームを受信するステップ；
（ｆ）  前記同期フレームから前記コンテナを抽出し、記録された身元を読み取ることによって、マッピングされたフレームを再編成するステップ；及び
（ｇ）  前記ペイロード及びオーバーヘッド部分を含む当初のフレームを、各自のマッピングされたフレームから復元するために逆マッピングを実行するステップ；
より成り、前記同期データが、当初のフレームのペイロード又はオーバーヘッド部分を変更することなしにテレコミュニケーションネットワーク上で搬送されることを特徴とする方法。
【発明の詳細な説明】
【技術分野】
【０００１】
本発明は、同期光ネットワーク（ＳＯＮＥＴ）や同期ディジタル階層（ＳＤＨ）ネットワークのような同期データネットワーク上でのデータ送信に関する。
【背景技術】
【０００２】
ＳＯＮＥＴ／ＳＤＨネットワークは、１９９０年初期の導入時以来、広く受け入れられ且つ広く利用されている。ネットワークは、データを明確に定義されたフレーム構造にエンコードし、所定のシリアル形式でそのフレームにてデータを送信することによって、データを送信する。
【０００３】
ＳＯＮＥＴ／ＳＤＨ規格の導入は、ネットワークオペレータが、様々なベンダ間で適切な相互運用度（オペラビリティ）を想定することを可能にし、そのような規格は総てのファイバ形式のブロードバンドネットワークに対してほとんど排他的に使用される。しかしながら、意外にも、中規模のオペレータが、いくつかの地理的に分散したネットワークを利用してＳＯＮＥＴ又はＳＤＨ規格に基づいてネットワークを運用することを希望する場合がある。例えば、あるオペレータは、ある都市をカバーするネットワークを有し、距離を隔てた第２の都市をカバーする同様なネットワークと相互接続することを希望するかもしれない。そのようなオペレータに関し、２つの都市の間に専用のＳＯＮＥＴ又はＳＤＨファイバリンクを設けることは、禁止同然に高価であり、及び／又は帯域利用可能性の観点からはもっともなことではない。この問題に対する一般的な対処法は、「専用回線（ｌｅａｓｅｄ  ｌｉｎｅ）」に関する従来のビジネスモデルを採用することである。このビジネスモデルでは、中規模のオペレータは、２つの都市の間に既に存在する、ファイバリンクにおける帯域を購入するために第三者の「キャリア（ｃａｒｒｉｅｒ）」に言い寄る。原則として、このアプローチは効果的であるべきである。しかしながら、詳しい分析の示すものは、そのような「専用回線」法を実行する従来技術には重大な欠点が存在することである。
【発明の開示】
【発明が解決しようとする課題】
【０００４】
２つの領域におけるＳＯＮＥＴ／ＳＤＨネットワーク要素がファイバ上であたかも直接的に接続されるように、ネットワーク間の相互接続が全体的に透明であることが望まれる。
【０００５】
不都合なことに、現在の解決手段はこの要請に経済的には合致するものではない。
【０００６】
２つの地域的ネットワークを相互接続する第１の選択肢は、いわゆる「ダークファイバ（ｄａｒｋ  ｆｉｂｒｅ）」を利用することである。これは、その全体の中でキャリアからリースされる単なる専用のファイバである。これは、理想的な解決手段を与えるが、上述したように、ファイバの長さや起こり得る帯域利用度に依存して、禁止同然に高価になる傾向がある。
【０００７】
このような観点から、従来の別の解決手段が提案されており、それは既存のＳＯＮＥＴ／ＳＤＨデータストリームをキャリアのＳＯＮＥＴ／ＳＤＨネットワーク内で搬送しようとする。
【０００８】
第１に、そのような解決手段は、ファイバにて高密度波長分割多重化（ＤＷＤＭ）された波長におけるディジタルラッパ（ｗｒａｐｐｅｒ）を利用する。しかしながら、（ＩＴＵ−ＴＧ−７０９に規定されるような）所有及び規格双方に多くのディジタルラッパが存在する。この手法は、ＤＷＤＭシステムで使用するために、新たな非ＳＯＮＥＴラッパをクライアントの信号に加える。この手法に関する重大な問題は、ディジタルラッパが多重化法を包含しないことであり、このことは、キャリアがその信号を電気的に切り替える又は相互接続できないことを意味する。従って、キャリアは、その信号がキャリアのネットワークを通じて配信されるのを可能にするために、波長に関する新たなレイヤ又は光スイッチングを用意する必要がある。このことは、この解決手段を高価なものにする。
【０００９】
第２に、そのような解決手段は、キャリアのペイロード内でＳＯＮＥＴ／ＳＤＨペイロードを搬送し、オペレータのオーバーヘッドをキャリアのオーバーヘッド内の別の場所に再対応付け（ｒｅｍａｐ）する。クライアントネットワークオペレータによる、ＳＯＮＥＴ／ＳＤＨオーバーヘッドの専用的利用を許容しないので、これは完全には透明（ｔｒａｎｓｐａｒｅｎｔ）ではないことに留意を要する。実際上このことは深刻な問題である。更に、キャリアネットワーク内のポインタ処理は、クライアントオペレータの信号クロック内容を乱す。このことは、地理的に離れたネットワークが、同期クロックと共に充分に透明に動作することができないことを意味する。
【００１０】
第３に、そのような解決手段は、実際の（又は隣接する）連結性（ｃｏｎｃａｔｅｎａｔｉｏｎ）を利用して、オペレータの信号をキャリアのＳＯＮＥＴ／ＳＤＨ信号に対応付ける。しかしながら、実際の連結性は、ＳＯＮＥＴ／ＳＤＨを利用して、（標準的な所定のＳＤＨ／ＳＯＮＥＴ構造よりも高い）高帯域信号の搬送を可能にするように主に設計される。目下の要請は、別のＳＯＮＥＴ／ＳＤＨ構造を利用して、あるＳＯＮＥＴ／ＳＤＨ構造における信号を搬送するものであることに留意を要する。従って、この問題を解決するための要請は、別の同じ規模の構造の中のある構造に適合させること、及び当初のオーバヘッドデータのような付加的なデータを維持することである。標準的な連結サイズを利用する実際の連結性を利用することは、一般的には、実際の連結される構造の帯域の少なくとも半分近くを浪費する、というのは、総ての所望の情報を維持するために、キャリアの構造によって搬送されるオペレータの構造よりも次に最も大きなサイズである実際の連結された構造を選択する必要があるからである。
【００１１】
キャリアから多くの帯域が購入されるが未使用に残ることとなる過剰な準備に加えて、実際の連結は、オーバーヘッドで維持されるエラーカウントに影響する、実行される先駆的な処理を必要とし、このことはこのプロセスが充分に透明でないことを意味する。
【００１２】
従って、オーバーヘッドペイロード及びクロックが、オペレータの第２の地域的ネットワークにおける受信時に全く変更されずにいるという意味において、クライアントオペレータ信号を透明に処理することの可能な既存の解決手段は無い。
【００１３】
本手法に関し、クライアントオペレータは、それ自身の転送ネットワーク全体を構築する必要性無しに、キャリアからリースされる施設を利用することで、ＳＯＮＥＴ／ＳＤＨネットワークを構築することができる。そのような施設は、ＳＯＮＥＴ／ＳＤＨオーバーヘッドの専用的利用、キャリア及びクライアントネットワークオペレータクロック領域間の分離、ＯＡＭデータ通信（ＳＯＮＥＴ／ＳＤＨ  ＤＣＮ）領域の分離並びに低減された相互オペラビリティ要請を可能にする。
【課題を解決するための手段】
【００１４】
第１の態様では、本発明は、第１同期データフォーマットにおけるデータを、前記第１同期データフォーマットにクロック同期していない第２同期データフォーマットを用いて動作するネットワークを介して送信する方法であって：第１フォーマットのデータを、第１データフォーマットのペイロード及びオーバーヘッドの部分の内容及び位置を維持する所定の同期コンテナフォーマットにマッピングするステップ；前記第２同期データフォーマットを用いて送信するための複数の仮想的に連結されたペイロードを形成するために、前記所定の同期コンテナフォーマットにおけるデータを仮想的に連結するステップ；前記第２同期データフォーマットを用いて前記ネットワーク上で仮想的に連結されたデータを送信するステップ；前記仮想的に連結されたデータを受信するステップ；前記所定の同期コンテナフォーマットにおけるデータを復元するために仮想的に連結されたデータを結合するステップ；及び第１フォーマットにおけるデータを再構築するために逆マッピングを実行するステップ；より成る方法を提供する。
【００１５】
このように、対応付け（マッピング）は、第２の同期データフォーマットを利用するキャリアのネットワーク上でデータ伝送の透明性を与え、仮想的な連結性は、対応付けられた信号がキャリアのネットワーク上で帯域有効化法により搬送されることを保証する。従って、実効的には、オペレータの信号は、キャリアのＳＯＮＥＴ／ＳＤＨ構築済みファイバリンク内のパイプの中で搬送される。
【００１６】
本手法に関し、クライアントオペレータは、それ自身の転送ネットワーク全体を構築する必要性無しに、キャリアからリースされる施設を利用することで、ＳＯＮＥＴ／ＳＤＨネットワークを構築することができる。そのような施設は、ＳＯＮＥＴ／ＳＤＨオーバーヘッドの専用的利用、キャリア及びクライアントネットワークオペレータクロック領域間の分離、ＯＡＭデータ通信（ＳＯＮＥＴ／ＳＤＨ  ＤＣＮ）領域の分離並びに低減された相互オペラビリティ要請を可能にする。
【００１７】
第１及び第２の同期データフォーマットは、双方ＳＤＨ、双方ＳＯＮＥＴ又は各々の一方であり得ることに留意を要する。従って、送信は、同じ同期データ規格に従う第１及び第２データフォーマットを要求しない場合でさえも、真に透明である。
【００１８】
本発明の第２の態様によれば、同期ディジタルネットワークのためのネットワーク要素であって：同期データを受信するように用意されるデータ入力；前記データ入力にて受信された同期データを、同期データ内に包含されるオーバーヘッド情報を失うことなしに所定の別の同期データフォーマットに対応付けるように用意されたマッパ；及び前記マッパから前記別の同期データフォーマットで受信したデータを仮想的に連結するように用意された逆マルチプレクサ；を備えるネットワーク要素が提供される。
【００１９】
従って、ネットワーク要素は、キャリアのリンク上での送信に備えるデータを用意することが可能である。
【００２０】
本発明の第３の態様によれば、同期ディジタルネットワークのためのネットワーク要素であって：同期データを受信するように用意されるデータ入力；前記データ入力で受信された同期データに含まれる仮想的に連結されたペイロードを結合するよう用意されるマルチプレクサ；及び前記マルチプレクサにより生成された結合されたペイロードを、当初のマッピングに含まれるペイロードデータが維持される所定の別の同期データフォーマットに逆マッピングするように用意された逆マッパ；を備えるネットワーク要素が提供される。
【００２１】
本ネットワーク要素は、一般的には、上記の本発明の第２の態様に従うネットワーク要素によって用意される。
【００２２】
第４の態様では、本発明は、第１フォーマットの複数の同期フレームに広がる一群の仮想的に連結されたペイロードより成る同期データ信号であって、一群の仮想的に連結されたペイロード各々は第２フォーマットの同期フレームを表現し、前記第２フォーマットの同期フレームは第３フォーマットの同期フレームに関するマッピングを有し、前記第２フレーム及び前記第３フレーム間の前記マッピングは、前記第３フォーマットの同期フレームに当初包含されるオーバーヘッド及びペイロードデータの内容及び配置を維持するように用意される同期データ信号を提供する。
【００２３】
この種の信号はＳＯＮＥＴ／ＳＤＨフィールドで固有である。過去に、ＳＯＮＥＴ／ＳＳＤＨネットワークを共に接続することは可能であったが、別のＳＯＮＥＴ／ＳＤＨ信号内でＳＯＮＥＴ／ＳＤＨ信号を透明に搬送することができなかった。ＳＯＮＥＴ／ＳＤＨネットワークの接続は、ジッタ、クロック位相及び可能ならば２つの同期ネットワーク間の周波数差を取り扱うために、少なくとも先駆的な処理を必要とすることが理解されるであろう。これは、ネットワーク間に充分に透明な連結性を備えることを困難にする。従って、この態様による信号は、キャリアネットワークを通じる「パイプ（ｐｉｐｅ）」の各々の端部でのノード又はネットワーク要素が、多重化、逆多重化（分離）、マッピング、及び逆マッピングの機能を実行できることだけを必要とする。これらのネットワーク要素間のネットワークは、透明性又は終端するネットワーク要素間の伝送に影響を与えずに、全体的に通常の手法でＳＯＮＥＴ／ＳＤＨ信号にて動作し得る。
【００２４】
上述の態様及び／又は好適な特徴は、当業者に明らかに適切であるように組み合わせられ得る。
【００２５】
本発明による別の態様及び特徴は、添付図面に関連して本発明の具体的な実施例に関する以下の説明を参照することにより、当業者にとって一層明瞭になるであろう。
【発明を実施するための最良の形態】
【００２６】
図１を参照するに、クライアントネットワークオペレータは、ＳＯＮＥＴ／ＳＤＨネットワークを形成する複数のネットワーク要素２−１，２−２，２−３を有する。同じオペレータは、領域Ａから地理的に離れた別のサイトに位置する複数のネットワーク要素４−１，４−２，４−３により形成される第２のＳＯＮＥＴ／ＳＤＨネットワークを有する。ネットワークオペレータは、領域Ａ及び領域Ｂのネットワークを接続することを希望し、キャリアのＳＯＮＥＴ／ＳＤＨネットワーク６上で２つのネットワークを相互接続するために、キャリアとの契約に加入する。
【００２７】
領域Ａ及び領域Ｂのネットワーク間の信号は、パイプ８として共通に可視化され言及されるものにおけるキャリアのネットワーク６を通じて透明に搬送される。従って、そのパイプを通じて転送されるデータは、変更されていないペイロード、クロック内容及びオーバーヘッドと共に伝送される。このことは、領域Ａ及び領域Ｂのネットワークが、クロック同期を有すること及びダークファイバ上であたかも直接的に接続されるように動作することを可能にする。しかしながら、クライアントネットワークオペレータは、専用化されたファイバの容量総てを必要としないので、そのネットワーク６を介するリンクのコストはダークファイバのものよりも顕著に低い。
【００２８】
当然に、クライアントネットワークオペレータが、専用化されるファイバの帯域総てを利用し得る程度に充分に大きいならば、そのダークファイバの選択肢はその特殊な場合には経済的であり得ることが、理解されるであろう。
【００２９】
図２を参照するに、領域Ａのネットワークでの信号は、領域Ｂのネットワークに伝送される前に処理される、或いはその逆もなされる。
【００３０】
処理は、専用ネットワークにて実行される又は既存の要素の不可欠な部分を形成する。説明の便宜上、オペレータ領域Ａのネットワーク要素２−１は、送信前に事前処理ステップを実行し、領域Ｂのネットワーク要素４−１は、受信後に事後処理ステップを実行することが想定される。実際には、データ通信は双方向となる傾向にあり、従って結果的にネットワーク６内に２つのパイプが存在し、ネットワーク２−１，４−１は事前の及び事後の処理機能双方を実行するであろうことが、理解されるであろう。これらの機能も、領域Ａ及び領域Ｂのネットワーク内の別のネットワーク要素に分散され得る。
【００３１】
図２に戻って、同期データは、入力１０にて領域Ａのネットワークにおける別の場所からＳＯＮＥＴ又はＳＤＨフォーマットで受信される。好ましくは、Ｂ１，Ｂ２のパリティコード（及びＳＯＮＥＴにおけるそれらの等価物）は、その入力にて監視される（ステップ１２）。次のステップ（１４）では、ＳＯＮＥＴ／ＳＤＨ信号は、当初信号のペイロード、オーバーヘッド及びクロック内容を維持する方式で、別のＳＯＮＥＴ／ＳＤＨフレーム構造に対応付けられる。適切な対応付け（マッピング）は、同一人に譲渡される係属中の１９９９年７月８日付出願の米国特許出願番号０９／３４９，０８７号に開示されている。また、この出願の内容は、２００１年１月１０日付公開済み欧州特許出願番号００３０５７８２．５号によって公開されている。これらの文献の開示内容は本願の参考に供される。
【００３２】
ステップ１６では、対応付けられた信号が、仮想的に連結されたペイロードを形成するために逆多重化される。これは、対応付けられる構造が、キャリアネットワーク６のパイプ内で使用されるＳＯＮＥＴ／ＳＤＨ信号の標準サイズのペイロードに一層効率的に適合することを可能にする。
【００３３】
仮想的連結の規格は、以下の規格文書ＩＴＵ−Ｔ  Ｇ．８０３に述べられている；“Ａｒｃｈｉｔｅｃｔｕｒｅ  ｏｆ  ｔｒａｎｓｐｏｒｔ  ｎｅｔｗｏｒｋｓ  ｂａｓｅｄ  ｏｎ  ｔｈｅ  ｓｙｎｃｈｒｏｎｏｕｓ  ｄｉｇｉｔａｌ  ｈｉｅｒａｒｃｈｙ（ＳＤＨ）”，ＩＴＵ−Ｔ  Ｇ．７０７；“Ｎｅｔｗｏｒｋ  Ｎｏｄｅ  Ｉｎｔｅｒｆａｃｅ  ｆｏｒ  ｔｈｅ  Ｓｙｎｃｈｒｏｎｏｕｓ  Ｄｉｇｉｔａｌ  Ｈｉｅｒａｒｃｈｙ（ＳＤＨ）”，ＩＴＵ−Ｔ  Ｇ．７８３；“Ｃｈａｒａｃｔｅｒｉｓｔｉｃｓ  ｏｆ  Ｓｙｎｃｈｒｏｎｏｕｓ  Ｄｉｇｉｔａｌ  Ｈｉｅｒａｒｃｈｙ（ＳＤＨ）  Ｅｑｕｉｐｍｅｎｔ  Ｆｕｎｃｔｉｏｎａｌ  Ｂｌｏｃｋｓ”，ＡＮＳＩ  Ｔ１．１０５；“Ｓｙｎｃｈｒｏｎｏｕｓ  Ｏｐｔｉｃａｌ  Ｎｅｔｗｏｒｋ（ＳＯＮＥＴ）  Ｂａｓｉｃ  Ｄｅｓｃｒｉｐｔｉｏｎ  ｉｎｃｌｕｄｉｎｇ  Ｍｕｌｔｉｐｌｅｘ  Ｓｔｒｕｃｔｕｒｅ，Ｒａｔｅｓ  ａｎｄ  Ｆｏｒｍａｔｓ”，ＡＮＳＩ  Ｔ１−１０５．０２；“Ｓｙｎｃｈｒｏｎｏｕｓ  Ｏｐｔｉｃａｌ  Ｎｅｔｗｏｒｋ（ＳＯＮＥＴ）−Ｐａｙｌｏａｄ  Ｍａｐｐｉｎｇｓ”，ａｎｄ  ＥＴＳＩ  ＥＮ  ３００  ４１７−９−１；“Ｔｒａｎｓｍｉｓｓｉｏｎ  ａｎｄ  Ｍｕｌｔｉｐｌｅｘｉｎｇ（ＴＭ）  Ｇｅｎｅｒｉｃ  ｒｅｑｕｉｒｅｍｅｎｔｓ  ｏｆ  ｔｒａｎｓｐｏｒｔ  ｆｕｎｃｔｉｏｎａｌｉｔｙ  ｏｆ  ｅｑｕｉｐｍｅｎｔ  Ｐａｒｔ  ９：Ｓｙｎｃｈｒｏｎｏｕｓ  Ｄｉｇｉｔａｌ  Ｈｉｅｒａｒｃｈｙ（ＳＤＨ）  ｃｏｎｃａｔｅｎａｔｅｄ  ｐａｔｈ  ｌａｙｅｒ  ｆｕｎｃｔｉｏｎｓ．Ｓｕｂｐａｒｔ  １：Ｒｅｑｕｉｒｅｍｅｎｔｓ”。
【００３４】
一般的原理は、到来する信号を、（ＳＤＨ用語における）複数の仮想的なコンテナ（に分割し、これら仮想的なコンテナ内に、当初のフレーム構造の身元及びその当初の構造でのコンテの順序に関する情報を含めることである。このデータは例えば高次の仮想的コンテナ経路トレースバイト（Ｊ１）又はＳＯＮＥＴにおける同等物内に位置付けられる。これらラベル付けされた仮想的コンテナは、その後に、通常のＳＤＨペイロードにて分配され、通常のスイッチを通じて交換される。
【００３５】
受信端では、受信するネットワーク要素は、使用される仮想連結法を知る必要があり、それらが受信されると仮想的コンテナを保持し、それらを再編成し、それらを当初のフレーム構造に結合する。この技法は、標準的なＳＤＨ／ＳＯＮＥＴ構造（帯域に関する比較的粗い分解度を有するものと理解される）を利用して、帯域の微細な分解度調整を可能にする。仮想連結を利用する利用可能な帯域の具体例は、以下のテーブルに与えられる：
表１
【００３６】
【表１】
2004533789.tif 000003
本発明における、効率的な帯域利用に至るための仮想的連結に続く、ペイロードのクロック内容を包含する信号の完全性を維持するためのマッピングの結合は、過剰な設備や帯域の浪費なしに、ＳＯＮＥＴ／ＳＤＨ接続でのパイプ内のＳＯＮＥＴ／ＳＤＨ信号に関する所望の透明な搬送をもたらす。
【００３７】
再び図２を参照するに、仮想的に連結されたペイロードは、キャリアネットワーク６を介して伝送され（ステップ１８）、その後に、領域Ｂのネットワーク内のネットワーク要素（この例では、ネットワーク要素４−１）にて受信される。
【００３８】
受信時に、仮想的に連結されたペイロードは、結合され（ステップ２０）、当初のデータ構造を復元するために逆マッピングされる（ステップ２２）。クライアント信号Ｂ１／Ｂ２パリティ信号は監視され（ステップ２４）、再構築された信号は出力２６から出力される。従って、入力１０における信号と出力２６における信号は等しくなる。これらのステップは、同一人に譲受される係属中の米国特許出願０９／３４９，０８７の教示するものに従って実行される。
【００３９】
理解されるであろうことは、多くの様々なマッピングプロトコルが使用されること、及び、本質的な条件は、クロック内容及びオーバーヘッドがマッピングで維持され且つ逆マッピングを利用して抽出され得る意味において、信号が透明にマッピングされることである。
【００４０】
「フレーム」なる用語は、ＳＯＮＥＴ／ＳＤＨフレームに関連することが理解されるであろう。
【００４１】
本発明の重要な利点は、上述した仮想的連結及びマッピング法を用いてＳＯＮＥＴ／ＳＤＨネットワーク間に伝送プロトコルを設けることによって、地理的に離れたネットワークセグメントを透明なパイプを用いて接続する特殊な設備を設ける必要がないことに留意を要する。
【図面の簡単な説明】
【００４２】
【図１】キャリアＳＯＮＥＴ／ＳＤＨネットワークにより相互接続された２つの地域的ＳＯＮＥＴ／ＳＤＨネットワークの概略的ブロック図である。
【図２】キャリアＳＯＮＥＴ／ＳＤＨネットワーク上でデータを送信する及び受信するのに包含される機能的ステップを示すブロック図である。
【図１】
2004533789.tif 000004
【図２】
2004533789.tif 000005
【国際公開パンフレット】
2004533789.tif 000006
2004533789.tif 000007
2004533789.tif 000008
2004533789.tif 000009
2004533789.tif 000010
2004533789.tif 000011
2004533789.tif 000012
2004533789.tif 000013
2004533789.tif 000014
2004533789.tif 000015
2004533789.tif 000016
2004533789.tif 000017
2004533789.tif 000018
2004533789.tif 000019
2004533789.tif 000020
2004533789.tif 000021
2004533789.tif 000022
【国際調査報告】
2004533789.tif 000023
2004533789.tif 000024